(57)【要約】【課題】浴室２と天井裏３の湿度をコントロールすることにより、天井裏３の腐食及びカビの繁殖を抑制し、建物１の寿命を延ばすことの可能な浴室換気装置４を提供することを目的とする。【解決手段】天井裏３の空気を吸気する天井裏吸気口８を備え、浴室２の空気の吸気量と天井裏３の空気の吸気量を調整する吸い込み量調整器６を備えたものであり、浴室２と天井裏３の吸気量を調整することにより、浴室２と天井裏３の空気の吸い込み量を分配、必要量分配することで、浴室２と天井裏３の湿度を適切にコントロールすることができ、浴室２および天井裏３の腐食、カビの繁殖を抑制するという効果のある浴室換気装置を提供できる。【選択図】図１
2007107829.tif 000002
【特許請求の範囲】
【請求項１】
浴室内の空気を吸気し、建物外に排気することにより、浴室を換気する浴室換気装置において、天井裏の空気を吸気する天井裏吸気口を備え、浴室からの空気の吸気量と天井裏からの空気の吸気量を調整する吸込み量調整器を備えたことを特徴とする浴室換気装置。
【請求項２】
天井裏吸気口からの埃又は生物の侵入を防止するフィルタを備えたことを特徴とする請求項１記載の浴室換気装置。
【請求項３】
浴室内の換気運転を開始後、一定時間は浴室内換気を優先し、一定時間後に吸込み量調整器を調整し天井裏換気を開始する制御手段Ａを備えたことを特徴とする請求項１または２記載の浴室換気装置。
【請求項４】
天井裏への湿気の流出を検出する天井裏湿度検出手段を備えたことを特徴とする請求項１から３いずれかに記載の浴室換気装置。
【請求項５】
天井裏の湿気が規定値に達すると天井裏換気を開始あるいは停止する制御手段Ｂを備えたことを特徴とする請求項３記載の浴室換気装置。
【請求項６】
天井裏の湿気の変化速度に応じて天井裏換気を開始あるいは停止する制御手段Ｃを備えたことを特徴とする請求項３記載の浴室換気装置。
【請求項７】
天井裏の湿気の変化速度に応じて天井裏換気を開始し、天井裏の湿気が規定値に達すると天井裏換気を停止する制御手段Ｄを備えたことを特徴とする請求項３記載の浴室換気装置。
【請求項８】
天井裏の湿気が規定値に達すると天井裏の換気を開始し、天井裏の湿気の変化量に応じて天井裏換気を停止する制御手段Ｅを備えたことを特徴とする請求項３記載の浴室換気装置。
【請求項９】
浴室内の湿気を検出する浴室内湿度検出手段を備えたことを特徴とする請求項１から３いずれかに記載の浴室換気装置。
【請求項１０】
浴室内の湿気が規定値に達すると天井裏換気を一定時間行なう制御手段Ｆを備えたことを特徴とする請求項９記載の浴室換気装置。
【請求項１１】
浴室内の湿気の変化速度に応じて天井裏換気を一定時間行なう制御手段Ｇを備えたことを特徴とする請求項９記載の浴室換気装置。
【請求項１２】
天井裏への湿気の流出を検出する天井裏湿度検出手段と浴室内の湿気を検出する浴室内湿度検出手段を備えたことを特徴とする請求項１から３いずれかに記載の浴室換気装置。
【請求項１３】
天井裏換気の有無を手元で選択できる手元選択手段を備えたことを特徴とする請求項１から１２いずれかに記載の浴室換気装置。
【発明の詳細な説明】
【技術分野】
【０００１】
本発明は、浴室の天井裏あるいは壁に設置され浴室の換気を行なう浴室換気装置及び浴室換気装置の制御方法に関するものである。
【背景技術】
【０００２】
住宅の寿命を延ばす目的で、各部屋への換気装置の設置が義務づけられていることからわかるように、住宅の寿命に対する関心は高まっていることは明らかである。住宅の寿命に対し、腐食及びカビ抑制として、湿度のコントロールが大きな要因の一つを占めており、特に浴室から出る湿気を浴室あるいは浴室周辺より適切に排気することは、重要な課題である。
【０００３】
従来より、建物内部に空調装置本体が設けられ、天井裏及び部屋内部に連通する複数の吸気口を有すると共に空中装置内部にはファンが設けられ、ファンを駆動することにより、天井裏の空気及び連通する複数の吸気口を有する部屋の空気を建物の外に排気して、天井裏及び各部屋の換気を行なうようになっている（例えば、特許文献１参照）。
【特許文献１】特開２００４−３０１４４７号公報
【発明の開示】
【発明が解決しようとする課題】
【０００４】
このような従来の浴室換気装置では、浴室と天井裏の湿度を適切にコントロールすることができなく、天井裏が腐食するおよび天井裏にカビが繁殖するという課題がある。本発明は、このような従来の課題を解決するものであり、浴室と天井裏の換気量を調節することができ、浴室と天井裏の湿度を適切にコントロールすることのできる浴室換気装置を提供することを目的としている。
【課題を解決するための手段】
【０００５】
本発明の請求項１記載の浴室換気装置は、上記目的を達成するために、天井裏の空気を吸気する天井裏吸気口を備え、浴室からの空気の吸気量と天井裏からの空気の吸気量を調整するな吸い込み量調整器を備えたことを特徴とする。そして、本発明によれば浴室と天井裏の湿度をコントロールすることができる浴室換気装置が得られる。
【０００６】
また請求項２記載の発明は、天井裏吸気口からの埃又は生物の侵入を防止するフィルタを備えたことを特徴とする。そして、本発明によれば天井裏吸気口からの埃あるいは生物の浴室内への侵入を防止することができる浴室換気装置が得られる。
【０００７】
また請求項３記載の発明は、浴室内の換気運転を開始後、一定時間は浴室内換気を優先し、一定時間後に吸い込み量調整器を調整し天井裏換気を開始する制御手段Ａを備えたことを特徴とする。そして、本発明によれば浴室内の換気と天井裏の換気を自動で変更できる浴室換気装置が得られる。
【０００８】
また請求項４の発明は、天井裏への湿気の流出を検出する天井裏湿度検出手段を備えたことを特徴とする。そして、本発明によれば天井裏の湿度を監視しながら運転ができる浴室換気装置が得られる。
【０００９】
また請求項５の発明は、天井裏の湿気が規定値に達すると天井裏換気を開始あるいは停止する制御手段Ｂを備えたことを特徴とする。そして、本発明によれば天井裏の換気開始あるいは停止を天井裏の湿気の規定値により、自動で変更できる浴室換気装置が得られる。
【００１０】
また請求項６の発明は、天井裏の湿気の変化速度に応じて天井裏換気を開始あるいは停止する制御手段Ｃを備えたことを特徴とする。そして、本発明によれば天井裏の換気開始あるいは停止を天井裏の湿気の変化速度に応じて、自動で変更できる浴室換気装置が得られる。
【００１１】
また請求項７の発明は、天井裏の湿気の変化速度に応じて天井裏換気を開始し、天井裏の湿気が規定値に達すると天井裏換気を停止する制御手段Ｄを備えたことを特徴とする。そして、本発明によれば天井裏の換気開始あるいは停止を天井裏の湿気の変化速度あるいは天井裏の湿気の規定値に応じて、自動で変更できる浴室換気装置が得られる。
【００１２】
また請求項８の発明は、天井裏の湿気が規定値に達すると天井裏の換気を開始し、天井裏の湿気の変化量に応じて天井裏換気を停止する制御手段Ｅを備えたことを特徴とする。そして、本発明によれば天井裏の換気開始あるいは停止を天井裏の湿気の規定値あるいは天井裏の湿気の変化速度に応じて、自動で変更できる浴室換気装置が得られる。
【００１３】
また請求項９の発明は、浴室内の湿気を検出する浴室内湿度検出手段を備えたことを特徴とする。そして、本発明によれば浴室内の湿気を検出し、浴室内の換気状況を監視しながら運転ができる浴室換気装置が得られる。
【００１４】
また請求項１０の発明は、浴室内の湿気が規定値に達すると天井裏換気を一定時間行なう制御手段Ｆを備えたことを特徴とする。そして、本発明によれば天井裏の換気開始あるいは停止を浴室内の湿気の規定値により、自動で変更できる浴室換気装置が得られる。
【００１５】
また請求項１１の発明は、浴室内の湿気の変化速度に応じて天井裏換気を一定時間行なう制御手段Ｇを備えたことを特徴とする。そして、本発明によれば天井裏の換気開始あるいは停止を浴室内の湿気の変化速度に応じて、自動で変更できる浴室換気装置が得られる。
【００１６】
また請求項１２の発明は、天井裏への湿気の流出を検出する天井裏湿度検出手段と浴室内の湿気を検出する浴室内湿度検出手段を備えたことを特徴とする。そして、本発明によれば天井裏の換気開始あるいは停止を浴室内の湿気と天井裏の湿気に応じて、自動で変更できる浴室換気装置が得られる。
【００１７】
また請求項１３の発明は、天井裏換気の開始あるいは停止を手元で選択できる手元選択手段を備えたことを特徴とする。そして、本発明によれば天井裏の換気開始あるいは停止を使用者の任意に変更できる浴室換気装置が得られる。
【発明の効果】
【００１８】
本発明によれば、天井裏の空気を吸気する天井裏吸気口を備え、浴室からの空気の吸気量と天井裏からの空気の吸気量を調整する吸い込み量調整器を備えたことにより、天井裏と浴室の空気の吸い込み量を分配、必要量分配することで、浴室と天井裏の湿度を適切にコントロールすることができ、浴室および天井裏の腐食およびカビの繁殖を抑制、防止するという効果のある浴室換気装置を提供できる。
【００１９】
また、天井裏吸気口からの埃又は生物の侵入を防止するフィルタを備えたことにより天井裏吸気口からの埃あるいは生物の浴室内への侵入を防止することができるという効果のある浴室換気装置を提供できる。
【００２０】
また、浴室内の換気運転を開始後、一定時間は浴室内換気を優先し、一定時間後に吸い込み量調整器を調整し天井裏換気を開始する制御手段Ａを備えたことにより、浴室内の換気と天井裏の換気を使用者の操作なしに自動で変更でき、一つの換気装置で天井裏と浴室内の湿度をコントロールすることができ、天井裏の腐食およびカビの繁殖を抑制するという効果のある浴室換気装置を提供できる。
【００２１】
また、天井裏への湿気の流出を検出する天井裏湿度検出手段を備えたことにより天井裏の湿度を監視しながら運転ができ、一つの換気装置で天井裏と浴室内の湿度をコントロールすることができ、天井裏の腐食およびカビの繁殖を抑制するという効果のある浴室換気装置を提供できる。
【００２２】
また、天井裏の湿気が規定値に達すると天井裏換気を開始あるいは停止する制御手段Ｂを備えたことにより天井裏の換気開始あるいは停止を天井裏の湿気の規定値により、使用者の操作なしに自動で変更でき、一つの換気装置で天井裏と浴室内の湿度をコントロールすることができ、天井裏の腐食およびカビの繁殖を抑制するという効果のある浴室換気装置を提供できる。
【００２３】
また、天井裏の湿気の変化速度に応じて天井裏換気を開始あるいは停止する制御手段Ｃを備えたことにより天井裏の換気開始あるいは停止を天井裏の湿気の変化速度に応じて、使用者の操作なしに自動で変更でき、一つの換気装置で天井裏と浴室内の湿度をコントロールすることができ、天井裏の腐食およびカビの繁殖を抑制するという効果のある浴室換気装置を提供できる。
【００２４】
また、天井裏の湿気の変化速度に応じて天井裏換気を開始し、天井裏の湿気が規定値に達すると天井裏換気を停止する制御手段Ｄを備えたことにより天井裏の換気開始あるいは停止を天井裏の湿気の変化速度あるいは天井裏の湿気の規定値に応じて、使用者の操作なしに自動で変更でき、一つの換気装置で天井裏と浴室内の湿度をコントロールすることができ、天井裏の腐食およびカビの繁殖を抑制するという効果のある浴室換気装置を提供できる。
【００２５】
また、天井裏の湿気が規定値に達すると天井裏の換気を開始し、天井裏の湿気の変化量に応じて天井裏換気を停止する制御手段Ｅを備えたことにより天井裏の換気開始あるいは停止を天井裏の湿気の規定値あるいは天井裏の湿気の変化速度に応じて、使用者の操作なしに自動で変更でき、一つの換気装置で天井裏と浴室内の湿度をコントロールすることができ、天井裏の腐食およびカビの繁殖を抑制するという効果のある浴室換気装置を提供できる。
【００２６】
また、浴室内の湿気を検出する浴室内湿度検出手段を備えたことにより浴室内の湿度を検出し、浴室内の換気状況を監視しながら運転ができ、一つの換気装置で天井裏と浴室内の湿度をコントロールすることができ、天井裏の腐食およびカビの繁殖を抑制するという効果のある浴室換気装置を提供できる。
【００２７】
また、浴室内の湿気が規定値に達すると天井裏換気を一定時間行なう制御手段Ｆを備えたことにより天井裏の換気開始あるいは停止を浴室内の湿気の規定値により、使用者の操作なしに自動で変更でき、一つの換気装置で天井裏と浴室内の湿度をコントロールすることができ、天井裏の腐食およびカビの繁殖を抑制するという効果のある浴室換気装置を提供できる。
【００２８】
また、浴室内の湿気の変化速度に応じて天井裏換気を一定時間行なう制御手段Ｇを備えたことにより天井裏の換気開始あるいは停止を浴室内の湿気の変化速度に応じて、使用者の操作なしに自動で変更でき、一つの換気装置で天井裏と浴室内の湿度をコントロールすることができ、天井裏の腐食およびカビの繁殖を抑制するという効果のある浴室換気装置を提供できる。
【００２９】
また、天井裏への湿気の流出を検出する天井裏湿度検出手段と浴室内の湿気を検出する浴室内湿度検出手段を備えたことにより天井裏の換気開始あるいは停止を浴室内の湿気と天井裏の湿気に応じて、使用者の操作なしに自動で変更でき、一つの換気装置で天井裏と浴室内の湿度をコントロールすることができ、天井裏の腐食およびカビの繁殖を抑制するという効果のある浴室換気装置を提供できる。
【００３０】
また、天井裏換気の開始あるいは停止を手元で選択できる手元選択手段を備えたことにより天井裏の換気開始あるいは停止を使用者の判断で意に変更でき、一つの換気装置で天井裏と浴室内の湿度をコントロールすることができ、天井裏の腐食およびカビの繁殖を抑制するという効果のある浴室換気装置を提供できる。
【発明を実施するための最良の形態】
【００３１】
本発明の請求項１記載の発明は、天井裏の空気を吸気する天井裏吸気口を備え、浴室からの空気の吸気量と天井裏からの空気の吸気量を調整する吸い込み量調整器を備えたものであり、浴室と天井裏の湿度をコントロールすることができ、腐食およびカビの繁殖を抑制、防止するという作用を有する。
【００３２】
また請求項２記載の発明は、天井裏吸気口からの埃又は生物の侵入を防止するフィルタを備えたことで天井裏吸気口からの埃あるいは生物の浴室内への侵入を防止することができるという作用を有する。
【００３３】
また、請求項３記載の発明は、浴室内の換気運転を開始後、一定時間は浴室内換気を優先し、一定時間後に吸い込み量調整器を調整し天井裏換気を開始する制御手段Ａを備えたものであり、浴室内の換気と天井裏の換気を自動で変更できるという作用を有する。
【００３４】
また、請求項４記載の発明は、天井裏への湿気の流出を検出する天井裏湿度検出手段を備えたものであり、天井裏の湿気を監視しながら運転ができるという作用を有する。
【００３５】
また、請求項５記載の発明は、天井裏の湿気が規定値に達すると天井裏換気を開始あるいは停止する制御手段Ｂを備えたものであり、天井裏の換気開始あるいは停止を天井裏の湿気の規定値により、自動で変更できるという作用を有する。
【００３６】
また請求項６記載の発明は、天井裏の湿気の変化速度に応じて天井裏換気を開始あるいは停止する制御手段Ｃを備えたものであり、天井裏の換気開始あるいは停止を天井裏の湿気の変化速度に応じて、自動で変更できるという作用を有する。
【００３７】
また請求項７の発明は、天井裏の湿気の変化速度に応じて天井裏換気を開始し、天井裏の湿気が規定値に達すると天井裏換気を停止する制御手段Ｄを備えたものであり、天井裏の換気開始あるいは停止を天井裏の湿気の変化速度あるいは天井裏の湿気の規定値に応じて、自動で変更できるという作用を有する。
【００３８】
また請求項８の発明は、天井裏の湿気が規定値に達すると天井裏の換気を開始し、天井裏の湿気の変化量に応じて天井裏換気を停止する制御手段Ｅを備えたものであり、天井裏の換気開始あるいは停止を天井裏の湿気の規定値あるいは天井裏の湿気の変化速度に応じて、自動で変更できるという作用を有する。
【００３９】
また請求項９の発明は、浴室内の湿度を検出する浴室内湿度検出手段を備えたことで、浴室内の湿気を検出し、浴室内の換気状況を監視しながら運転ができるという作用を有する。
【００４０】
また請求項１０の発明は、浴室内の湿気が規定値に達すると天井裏換気を一定時間行なう制御手段Ｆを備えたものであり、天井裏の換気開始あるいは停止を浴室内の湿気の規定値により、自動で変更できるという作用を有する。
【００４１】
また請求項１１の発明は、浴室内の湿気の変化速度に応じて天井裏換気を一定時間行なう制御手段Ｇを備えたものであり、天井裏の換気開始あるいは停止を浴室内の湿気の変化速度に応じて、自動で変更できるるという作用を有する。
【００４２】
また請求項１２の発明は、天井裏への湿気の流出を検出する天井裏湿度検出手段と浴室内の湿気を検出する浴室内湿度検出手段を備えたものであり、天井裏の換気開始あるいは停止を浴室内の湿気と天井裏の湿気に応じて、自動で変更できるという作用を有する。
【００４３】
また請求項１３の発明は、天井裏換気の開始あるいは停止を手元で選択できる手元選択手段を備えたものであり、天井裏の換気開始あるいは停止を使用者の任意に変更できるという作用を有する。
【００４４】
（実施の形態１）
以下、本発明の実施の形態１について図１を参照しながら説明する。
【００４５】
図１は本発明に関わる浴室換気装置あるいは浴室換気装置周辺の概略構成である。図１に示すように、本浴室換気装置４は建物１内の浴室２の天井裏３に設置されている。浴室換気装置４内部にはファン５と吸い込み量調整器６が設けられており、このファン５を駆動させることにより、浴室吸気口７、天井裏吸気口８より矢印のように空気を吸い込み、排気口９から建物１の外へ排出でき、吸い込み量調整器６を駆動させることにより浴室２と天井裏３の空気の吸い込み量を調整できる構成とする。
【００４６】
上記構成により、吸い込み量調整器６の開度を調整する。例えば、開度を自由に調整できる電動ダンパーの回転により、浴室吸気口７と天井裏吸気口８のそれぞれの開度を調節する。電動ダンパーとして吸い込み量調整器６の浴室吸気口７と天井裏吸気口８のそれぞれの開度を調整して、浴室からの空気の吸気量と天井裏からの空気の吸気量を調整する。天井裏吸気口８を全閉あるいは全開あるいは任意の開度に開口し、浴室吸気口７を全閉あるいは全開あるいは開度を任意の位置に固定することにより、天井裏吸気口８あるいは浴室吸気口７からの吸気量を調整することができる。吸い込み量調整器６の開度とファン５の能力を調整あるいは吸い込み量調整器６の開度のみを調整することにより、天井裏３と浴室２内の空気の吸い込み量を分配し、天井裏３と浴室２の空気を建物１の外へ排出する量をコントロールすることができる。これにより、浴室内と天井裏の換気による乾燥が進み、浴室内および天井裏の腐食およびカビの繁殖を防止、抑制することとなる。
【００４７】
（実施の形態２）
以下、本発明の実施の形態２について図２を参照しながら説明する。
【００４８】
実施の形態１と同一部分は同一番号を附し、詳細な説明を省略する。
【００４９】
図２に示すように、天井裏吸気風路にフィルタ１１を設けられた構成とする。
【００５０】
上記構成により、天井裏３に蓄積された埃あるいは生物の浴室換気装置４内部あるいは浴室２内への侵入を防止する。
【００５１】
（実施の形態３）
以下、本発明の実施の形態３について図３を参照しながら説明する。
【００５２】
実施の形態１及び２と同一部分は同一番号を附し、詳細な説明を省略する。
【００５３】
図３に示すように、ファン５及び吸い込み量調整器６を制御する制御手段Ａ１２を設けられた構成とする。
【００５４】
上記構成により、制御手段Ａ１２により、使用者が浴室換気装置４にて浴室内換気を行なう場合、先ず浴室２内の換気を優先し、一定時間（例えば３時間。但し、浴室２の大きさあるいはファン５の換気能力により異なる為、本時間は固定値ではないことは言うまでも無く、浴室内の湿度が安定する時間であれば良い。）吸い込み調整器６の開度を調整し浴室２のみの換気あるいは吸い込み量調整器６の開度を調整し浴室２の吸い込み量を大きくする換気を行なう。一定時間後、吸い込み量調整器６の開度を調整し、浴室２及び天井裏３の換気を同時にあるいは天井裏３の換気のみ開始することにより、自動で天井裏３と浴室２の湿度をコントロールできる。
【００５５】
（実施の形態４）
以下、本発明の実施の形態４について図４を参照しながら説明する。
【００５６】
実施の形態１から３と同一部分は同一番号を附し、詳細な説明を省略する。
【００５７】
図４に示すように、天井裏３への湿気の流出を検出する天井裏湿度検出手段１３を設けられた構成とする。
【００５８】
上記構成により、天井裏への湿気の流出を天井裏湿度検出手段１３により、天井裏の湿度を監視しながら運転することにより、天井裏３と浴室２の湿度をコントロールできる。天井裏湿度検出手段１３としては、天井裏の湿度が検出できれば良く、相対湿度センサーなどがある。
【００５９】
（実施の形態５）
以下、本発明の実施の形態５について図５を参照しながら説明する。
【００６０】
実施の形態１から４と同一部分は同一番号を附し、詳細な説明を省略する。
【００６１】
図５に示すように、ファン５及び吸い込み量調整器６及び天井裏湿度検出手段１３を制御する制御手段Ｂ２２を設けられた構成とする。
【００６２】
上記構成により、制御手段Ｂ２２により、天井裏の湿度が規定値（例えば６５％相当。但し、浴室換気装置４の取り付け方法あるいは天井裏湿度検出手段１３の位置により異なる為、本湿度は固定値ではないことは言うまでも無く、腐食およびカビの繁殖が増加する恐れのある相対湿度に設定する。）に達すると吸い込み量調整器６の開度を調整し、天井裏換気を開始し、天井裏の湿度が規定値（例えば５０％相当。但し、浴室換気装置４の取り付け方法あるいは天井裏湿度検出手段１３の位置により異なる為、本湿度は固定値ではないことは言うまでも無く、腐食およびカビの繁殖を抑制する相対湿度に設定する。）に達すると吸い込み量調整器６の開度を調整し、天井裏換気を停止することにより、自動で天井裏３と浴室２の湿度をコントロールできる。
【００６３】
（実施の形態６）
以下、本発明の実施の形態６について図６を参照しながら説明する。
【００６４】
実施の形態１から５と同一部分は同一番号を附し、詳細な説明を省略する。
【００６５】
図６に示すように、ファン５及び吸い込み量調整器６及び天井裏湿度検出手段１３を制御する制御手段Ｃ３２を設けられた構成とする。
【００６６】
上記構成により、制御手段Ｃ３２により、天井裏の湿度の変化速度に応じて（例えば１分間に１０％以上の湿度の上昇があった場合。但し、浴室換気装置４の取り付け方法あるいは天井裏湿度検出手段１３の位置により異なる為、本湿度は固定値ではないことは言うまでも無く、浴室内の湿気が天井裏へ漏れたことが検出できる時間及び湿度であれば良い。）、吸い込み量調整器６の開度を調整し、天井裏換気を開始し天井裏換気を開始し、天井裏の湿度の変化速度に応じて（例えば１０分間以上湿度の変化量が±１％以内であった場合。但し、浴室換気装置４の取り付け方法あるいは天井裏湿度検出手段１３の位置により異なる為、本湿度は固定値ではないことは言うまでも無く、湿度が安定したことを認識できる時間及び湿度の変化量であれば良い。）、吸い込み量調整器６の開度を調整し、天井裏換気を開始し天井裏換気を停止することにより、自動で天井裏３と浴室２の湿度をコントロールできる。
【００６７】
（実施の形態７）
以下、本発明の実施の形態７について図７を参照しながら説明する。
【００６８】
実施の形態１から６と同一部分は同一番号を附し、詳細な説明を省略する。
【００６９】
図７に示すようにに、ファン５及び吸い込み量調整器６及び天井裏湿度検出手段１３を制御する制御手段Ｄ４２を設けられた構成とする。
【００７０】
上記構成により、制御手段Ｄ４２により、天井裏の湿度の変化速度に応じて、吸い込み量調整器６の開度を調整し、天井裏換気を開始し、天井裏の湿度が規定値に達すると吸い込み量調整器６の開度を調整し、天井裏換気を停止することにより、自動で天井裏３と浴室２の湿度をコントロールできる。
【００７１】
（実施の形態８）
以下、本発明の実施の形態８について図８を参照しながら説明する。
【００７２】
実施の形態１から７と同一部分は同一番号を附し、詳細な説明を省略する。
【００７３】
図８に示すようにに、ファン５及び吸い込み量調整器６及び天井裏湿度検出手段１３を制御する制御手段Ｅ５２を設けられた構成とする。
【００７４】
上記構成により、制御手段Ｅ５２により、天井裏の湿度が規定値に達すると吸い込み量調整器６の開度を調整し、天井裏換気を開始し、天井裏の湿度の変化速度に応じて、吸い込み量調整器６の開度を調整し、天井裏換気を停止することにより、自動で天井裏３と浴室２の湿度をコントロールできる。
【００７５】
（実施の形態９）
以下、本発明の実施の形態９について図９を参照しながら説明する。
【００７６】
実施の形態１から８と同一部分は同一番号を附し、詳細な説明を省略する。
【００７７】
図９に示すように、浴室内の湿度を検出する浴室内湿度検出手段１４を設けられた構成とする。
【００７８】
上記構成により、浴室内の湿度を検出する浴室内湿度検出手段１４（例えば相対湿度センサー）により、浴室内の湿度を監視しながら運転することにより、天井裏３と浴室２の湿度をコントロールできる。
【００７９】
（実施の形態１０）
以下、本発明の実施の形態１０について図１０を参照しながら説明する。
【００８０】
実施の形態１から９と同一部分は同一番号を附し、詳細な説明を省略する。
【００８１】
図１０に示すようにに、ファン５及び吸い込み量調整器６及び浴室内湿度検出手段１４を制御する制御手段Ｆ６２を設けられた構成とする。
【００８２】
上記構成により、制御手段Ｆ６２により、浴室内の湿度が規定値（例えば５０％相当。但し、浴室換気装置４の取り付け方法あるいは浴室内湿度検出手段１４の位置により異なる為、本湿度は固定値ではないことは言うまでも無く、腐食およびカビの繁殖を抑制する相対湿度に設定する。）に達すると吸い込み量調整器６の開度を調整し、天井裏換気を開始し、一定時間（例えば３時間。但し、天井裏３の大きさあるいはファン５の換気能力により異なる為、本時間は固定値ではないことは言うまでも無く、天井裏３の湿度が安定する時間であれば良い。）後、天井裏換気を停止することにより、自動で天井裏３と浴室２の湿度をコントロールできる。
【００８３】
（実施の形態１１）
以下、本発明の実施の形態１１について図１１を参照しながら説明する。
【００８４】
実施の形態１から１０と同一部分は同一番号を附し、詳細な説明を省略する。
【００８５】
図１１に示すようにに、ファン５及び吸い込み量調整器６及び浴室内湿度検出手段１４を制御する制御手段Ｇ７２を設けられた構成とする。
【００８６】
上記構成により、制御手段Ｇ７２により、浴室２内の湿度の変化速度に応じて（例えば１０分間以上湿度の変化量が±１％以内であった場合。但し、浴室換気装置４の取り付け方法あるいは浴室内湿度検出手段１４の位置により異なる為、本湿度は固定値ではないことは言うまでも無く、湿度が安定したことを認識できる時間及び湿度の変化量であれば良い。）、吸い込み量調整器６の開度を調整し、天井裏換気を開始し、一定時間後、天井裏換気を停止することにより、自動で天井裏３と浴室２の湿度をコントロールできる。
【００８７】
（実施の形態１２）
以下、本発明の実施の形態１２について図１２を参照しながら説明する。
【００８８】
実施の形態１から１１と同一部分は同一番号を附し、詳細な説明を省略する。
【００８９】
図１２に示すようにに、天井裏３への湿気の流出を検出する天井裏湿度検出手段１３及び、浴室内の湿度を検出する浴室内湿度検出手段１４及び、ファン５及び吸い込み量調整器６及び天井裏湿度検出手段１３及び浴室内湿度検出手段１４を制御する制御手段Ｈ８２を設けられた構成とする。
【００９０】
上記構成により、制御手段Ｈ８２により、浴室内の湿度と天井裏の湿度に応じて（例えば、天井裏の湿度が浴室内の湿度より５％以上大きい場合。但し、天井裏３の大きさあるいは天井裏湿度検出手段１３の位置及び浴室２の大きさあるいは浴室内湿度検出手段１４の位置により異なる為、本湿度差は固定値では無いことは言うまでも無く、天井裏３の湿度が湿度センサーのバラツキを考慮しても浴室２の湿度よりも大きければ良い。）、吸い込み量調整器６の開度を調整し、天井裏換気を開始し、浴室内の湿度と天井裏の湿度に応じて（例えば、天井裏３の湿度が浴室２内の湿度より１％未満の場合。但し、天井裏３の大きさあるいは天井裏湿度検出手段１３の位置及び浴室２の大きさあるいは浴室内湿度検出手段１４の位置により異なる為、本湿度差は固定値では無いことは言うまでも無く、天井裏３の湿度が湿度センサーのバラツキを考慮しても浴室２の湿度と同等と判断できる値であれば良い。）、吸い込み量調整器６の開度を調整し、天井裏換気を停止することにより、自動で天井裏３と浴室２の湿度をコントロールできる。
【００９１】
（実施の形態１３）
以下、本発明の実施の形態１３について図１３を参照しながら説明する。
【００９２】
実施の形態１から１２と同一部分は同一番号を附し、詳細な説明を省略する。
【００９３】
図１３に示すように、天井裏換気の開始あるいは停止を手元で選択できる手元選択手段１５を設けられた構成とする。
【００９４】
上記構成より、天井裏の換気開始あるいは停止を手元選択手段１５（例えば、リモコン）より使用者の判断で任意に選択することで、天井裏３と浴室２の湿度をコントロールできる。
【図面の簡単な説明】
【００９５】
【図１】本発明の実施の形態１の浴室換気装置あるいは浴室換気装置周辺の構成を示す図
【図２】本発明の実施の形態２の浴室換気装置あるいは浴室換気装置周辺の構成を示す図
【図３】本発明の実施の形態３の浴室換気装置あるいは浴室換気装置周辺の構成を示す図
【図４】本発明の実施の形態４の浴室換気装置あるいは浴室換気装置周辺の構成を示す図
【図５】本発明の実施の形態５の浴室換気装置あるいは浴室換気装置周辺の構成を示す図
【図６】本発明の実施の形態６の浴室換気装置あるいは浴室換気装置周辺の構成を示す図
【図７】本発明の実施の形態７の浴室換気装置あるいは浴室換気装置周辺の構成を示す図
【図８】本発明の実施の形態８の浴室換気装置あるいは浴室換気装置周辺の構成を示す図
【図９】本発明の実施の形態９の浴室換気装置あるいは浴室換気装置周辺の構成を示す図
【図１０】本発明の実施の形態１０の浴室換気装置あるいは浴室換気装置周辺の構成を示す図
【図１１】本発明の実施の形態１１の浴室換気装置あるいは浴室換気装置周辺の構成を示す図
【図１２】本発明の実施の形態１２の浴室換気装置あるいは浴室換気装置周辺の構成を示す図
【図１３】本発明の実施の形態１３の浴室換気装置あるいは浴室換気装置周辺の構成を示す図
【符号の説明】
【００９６】
１    建物
２    浴室
３    天井裏
４    浴室換気装置
５    ファン
６    吸い込み量調整器
７    浴室吸気口
８    天井裏吸気口
９    排気口
１０  その他建物内部
１１  フィルタ
１２  制御手段Ａ
１３  天井裏湿度検出手段
１４  浴室内湿度検出手段
１５  手元選択手段
２２  制御手段Ｂ
３２  制御手段Ｃ
４２  制御手段Ｄ
５２  制御手段Ｅ
６２  制御手段Ｆ
７２  制御手段Ｇ
８２  制御手段Ｈ
【図１】
2007107829.tif 000003
【図２】
2007107829.tif 000004
【図３】
2007107829.tif 000005
【図４】
2007107829.tif 000006
【図５】
2007107829.tif 000007
【図６】
2007107829.tif 000008
【図７】
2007107829.tif 000009
【図８】
2007107829.tif 000010
【図９】
2007107829.tif 000011
【図１０】
2007107829.tif 000012
【図１１】
2007107829.tif 000013
【図１２】
2007107829.tif 000014
【図１３】
2007107829.tif 000015